(57)【要約】【課題】  プロセス条件に合わせて任意にＬＣＳＴを調節可能で、なおかつ低粘度で下限臨界溶液温度（ＬＣＳＴ）以上では液体−液体の二層分離となり分液による分離が容易な感温相分離液体の提供。【解決手段】  下限臨界溶液温度が異なる２種類以上の感温相分離液体を混合した、前記複数の感温相分離液体の最高下限臨界溶液温度と最低下限臨界溶液温度の中間の下限臨界溶液温度を示す感温相分離液体。また、感温相分離液体と、感温相分離性を示さない水溶性液体、体積比１：１で水と混和しない非水溶性液体又は感温相分離性を示さない水溶性固体物質の水溶液、とを混合した感温相分離液体。【選択図】  なし【特許請求の範囲】
【請求項１】
下限臨界溶液温度が異なる２種類以上の感温相分離液体を混合した、前記複数の感温相分離液体の最高下限臨界溶液温度と最低下限臨界溶液温度の中間の下限臨界溶液温度を示す感温相分離液体。
【請求項２】
感温相分離液体と、水溶性アルコール類、水溶性グリコール類、水溶性グリコールアルキルエーテル類、水溶性グリコールアルキルエーテルエステル類、水溶性ジエチレングリコールジエステル類及び水溶性アルキル脂肪酸アミド類のうちの１つ以上から選ばれた感温相分離性を示さない水溶性液体、とを混合した前記感温相分離液体の下限臨界溶液温度より高い下限臨界溶液温度を示す感温相分離液体。
【請求項３】
感温相分離液体と、非水溶性アルコール類、非水溶性グリコール類、非水溶性グリコールアルキルエーテル類、非水溶性グリコールアルキルエーテルエステル類及び非水溶性アルキル脂肪酸アミド類のうちの１つ以上から選ばれた体積比１：１で水と混和しない非水溶性液体、とを混合した前記感温相分離液体の下限臨界溶液温度より低い下限臨界溶液温度を示す感温相分離液体。
【請求項４】
感温相分離液体と、感温相分離性を示さない無機ハロゲン化合物及び／又は糖類からなる水溶性固体物質の水溶液、とを混合した前記感温相分離液体の下限臨界溶液温度より低い下限臨界溶液温度を示す感温相分離液体。
【請求項５】
前記感温相分離液体が、２‐ブトキシエタノール、２‐イソブトキシエタノール、２‐［２‐（ベンジルオキシ）エトキシ］エタノール、１‐エトキシ‐２−（２‐エトキシエトキシ）エタン、２‐［２‐（２‐メトキシエトキシ）エトキシ］プロパン、１−アセトキシ‐２‐（２‐エトキシエトキシ）エタン、２，５，８，１１‐テトラオキサペンタデカン、１‐プロポキシ‐２‐プロパノール、平均分子量４００から７００のポリプロピレングリコール、Ｎ，Ｎ−ジイソプロピルアセトアミド、Ｎ−プロピルプロパンアミド、Ｎ−イソプロピルプロパンアミド、Ｎ，Ｎ−ジエチルブタンアミド及びＮ，Ｎ−ジメチルヘキサンアミドのうちの１つ以上である請求項１〜４のいずれかに記載の感温相分離液体。
【発明の詳細な説明】
【技術分野】
【０００１】
下限臨界溶液温度を調節した感温相分離液体に関する。
【背景技術】
【０００２】
室温あるいは低温では水に溶解し、高温で水と相分離する感温相分離物質、すなわち下限臨界溶液温度（ＬＣＳＴ）を有する物質として、ポリＮ−イソプロピルアクリルアミドなどのポリマーが知られている（特許文献１）。
特許文献１に記載された技術では、ポリマーのモノマー組成比を変えることでＬＣＳＴを調節している。しかしながら、得られる溶液は高粘度のポリマー溶液で、相分離後はゲル状となり、液体−液体の分液による分離は困難であった。
【０００３】
本発明者は、ＬＣＳＴを有する低分子水溶性液体化合物を正浸透ドロー溶液として用いる技術を出願しており（特許文献２）、感温相分離物質は低粘度高浸透圧の正浸透水処理法ドロー溶液、低粘度感温相分離抽出、容易に水分を分離できる低粘度吸収液などに用いられる。
【０００４】
特許文献２に記載された技術では、水溶液がＬＣＳＴ以上になると液体−液体の二層分離となり分液による分離は容易であるが、感温相分離物質と水との比率が決まればＬＣＳＴは一義的に定まり調節することはできなかった。また感温相分離物質と水との比率を変えればＬＣＳＴを変えることはできるが、感温相分離物質と水との比率が２：８〜８：２の範囲ではＬＣＳＴは大きく変化しない。また感温相分離物質と水との比率が大きく変化すると、その水溶液の浸透圧、水吸収力、抽出性などに大きな影響を及ぼし、期待する性能を発現できなくなる。
【０００５】
感温相分離物質のＬＣＳＴを所望の温度に設定することができれば、排熱利用、環境温度の影響などを考慮したプロセス設計に大きな利点があるが、従来技術では、ＬＣＳＴを任意に調節することが、難しかった。
【先行技術文献】
【特許文献】
【０００６】
【特許文献１】特開２００８−１７９８２２号公報
【特許文献２】特開２０１６−４９５００号公報
【発明の概要】
【発明が解決しようとする課題】
【０００７】
本発明の目的は、プロセス条件に合わせて任意にＬＣＳＴを調節可能で、なおかつ低粘度でＬＣＳＴ以上では液体−液体の二層分離となり分液による分離が容易な感温相分離液体を提供することである。
【課題を解決するための手段】
【０００８】
上記課題を解決するために、本発明者は鋭意検討を行った結果、本発明を完成した。すなわち、本発明は、以下の技術的手段から構成される。
〔１〕  下限臨界溶液温度が異なる２種類以上の感温相分離液体を混合した、前記複数の感温相分離液体の最高下限臨界溶液温度と最低下限臨界溶液温度の中間の下限臨界溶液温度を示す感温相分離液体。
〔２〕  感温相分離液体と、水溶性アルコール類、水溶性グリコール類、水溶性グリコールアルキルエーテル類、水溶性グリコールアルキルエーテルエステル類、水溶性ジエチレングリコールジエステル類及び水溶性アルキル脂肪酸アミド類のうちの１つ以上から選ばれた感温相分離性を示さない水溶性液体、とを混合した前記感温相分離液体の下限臨界溶液温度より高い下限臨界溶液温度を示す感温相分離液体。
〔３〕  感温相分離液体と、非水溶性アルコール類、非水溶性グリコール類、非水溶性グリコールアルキルエーテル類、非水溶性グリコールアルキルエーテルエステル類及び非水溶性アルキル脂肪酸アミド類のうちの１つ以上から選ばれた体積比１：１で水と混和しない非水溶性液体、とを混合した前記感温相分離液体の下限臨界溶液温度より低い下限臨界溶液温度を示す感温相分離液体。
〔４〕  感温相分離液体と、感温相分離性を示さない無機ハロゲン化合物及び／又は糖類からなる水溶性固体物質の水溶液、とを混合した前記感温相分離液体の下限臨界溶液温度より低い下限臨界溶液温度を示す感温相分離液体。
〔５〕  前記感温相分離液体が、２‐ブトキシエタノール、２‐イソブトキシエタノール、２‐［２‐（ベンジルオキシ）エトキシ］エタノール、１‐エトキシ‐２−（２‐エトキシエトキシ）エタン、２‐［２‐（２‐メトキシエトキシ）エトキシ］プロパン、１−アセトキシ‐２‐（２‐エトキシエトキシ）エタン、２，５，８，１１‐テトラオキサペンタデカン、１‐プロポキシ‐２‐プロパノール、平均分子量４００から７００のポリプロピレングリコール、Ｎ，Ｎ−ジイソプロピルアセトアミド、Ｎ−プロピルプロパンアミド、Ｎ−イソプロピルプロパンアミド、Ｎ，Ｎ−ジエチルブタンアミド及びＮ，Ｎ−ジメチルヘキサンアミドのうちの１つ以上である前記〔１〕〜〔４〕のいずれかに記載の感温相分離液体。
【発明の効果】
【０００９】
本発明によれば、プロセス条件に合わせて任意にＬＣＳＴを調節可能で、なおかつ低粘度でＬＣＳＴ以上では液体−液体の二層分離となり分液による分離が容易な感温相分離液体を提供することが可能である。
【発明を実施するための形態】
【００１０】
本発明の第１の感温相分離液体は、下限臨界溶液温度が異なる２種類以上の感温相分離液体を混合した、前記複数の感温相分離液体の最高下限臨界溶液温度と最低下限臨界溶液温度の中間の下限臨界溶液温度を示す感温相分離液体である。
【００１１】
前記第１の感温相分離液体は、下限臨界溶液温度が異なる２種類以上の感温相分離液体を混合することにより得ることができる。混合は、常温で通常の混合方法で行えばよい。すなわち、容器に対象の感温相分離液体を入れて、撹拌機で撹拌して混合することができる。
【００１２】
前記第１の感温相分離液体の原料となる前記感温相分離液体は、１５〜２０℃では体積比１：１で水と混和し均一な水溶液となり高温で水と相分離する感温相分離物質であれば限定されないが、２‐ブトキシエタノール、２‐イソブトキシエタノール、２‐［２‐（ベンジルオキシ）エトキシ］エタノール、１‐エトキシ‐２−（２‐エトキシエトキシ）エタン、２‐［２‐（２‐メトキシエトキシ）エトキシ］プロパン、１−アセトキシ‐２‐（２‐エトキシエトキシ）エタン、２，５，８，１１‐テトラオキサペンタデカン、１‐プロポキシ‐２‐プロパノール、平均分子量４００から７００のポリプロピレングリコール、Ｎ，Ｎ−ジイソプロピルアセトアミド、Ｎ−プロピルプロパンアミド、Ｎ−イソプロピルプロパンアミド、Ｎ，Ｎ−ジエチルブタンアミド及びＮ，Ｎ−ジメチルヘキサンアミドを例示することができる。
【００１３】
前記第１の感温相分離液体のＬＣＳＴを所望の調節する方法の一つとしては、希望のＬＣＳＴよりも高いＬＣＳＴの感温相分離液体と低いＬＣＳＴの感温相分離液体を少なくとも２種類以上選定し、所定の割合で混合してＬＣＳＴ測定して目的とするＬＣＳＴを有する感温相分離液体の混合割合を決定する方法がある。
【００１４】
本発明の第２の感温相分離液体は、感温相分離液体と、水溶性アルコール類、水溶性グリコール類、水溶性グリコールアルキルエーテル類、水溶性グリコールアルキルエーテルエステル類、水溶性ジエチレングリコールジエステル類及び水溶性アルキル脂肪酸アミド類のうちの１つ以上から選ばれた感温相分離性を示さない水溶性液体、とを混合した前記感温相分離液体の下限臨界溶液温度より高い下限臨界溶液温度を示す感温相分離液体である。
【００１５】
前記第２の感温相分離液体は、既知の感温相分離液体と、前記感温相分離性を示さない水溶性液体、とを混合することにより、既知の感温相分離液体の下限臨界溶液温度より高い下限臨界溶液温度を示す感温相分離液体を得ることができる。
【００１６】
既知の感温相分離液体と前記感温相分離性を示さない水溶性液体の混合の方法は、第１の感温相分離液体を生成するときの方法と同様の方法により行うことができる。
【００１７】
前記混合により下限臨界溶液温度（ＬＣＳＴ）が高くなることは、以下の理由であると推察される。一般に感温相分離液体においてはＬＣＳＴが高いものは親水性すなわち高溶解性で低いものは疎水性すなわち低溶解性である。感温相分離性を示さない水溶性液体は感温相分離液体よりも親水性すなわち高溶解性である。感温相分離液体に感温相分離性を示さない水溶性液体を混合すると感温相分離液体はより親水性すなわち高溶解性となりＬＣＳＴが高くなるものと推察される。
【００１８】
前記第２の感温相分離液体の原料となる前記感温相分離液体は、前記第１の感温相分離液体及び前記前記第１の感温相分離液体の原料として示した感温相分離液体のいずれかである。
【００１９】
前記水溶性アルコール類、水溶性グリコール類、水溶性グリコールアルキルエーテル類、水溶性グリコールアルキルエーテルエステル類、水溶性ジエチレングリコールジエステル類及び水溶性アルキル脂肪酸アミド類のうちの１つ以上から選ばれた感温相分離性を示さない水溶性液体は、最も混和しづらいとされる体積比１：１で水と混和し均一な水溶液となり加熱しても相分離しない、なおかつ前記に記載の既知の感温相分離液体と室温で任意の割合で混和し均一な溶液となる物質であれば限定されない。
【００２０】
水溶性アルコール類の好ましい例としては、炭素数が１〜３のアルコール類、具体的にはメタノール、エタノール、１−プロパノール、２−プロパノール、および炭素数が４の三級アルコール２‐メチル−２−プロパノールを例示することができる。
【００２１】
また、水溶性グリコール類の好ましい例としては、具体的にはエチレングリコール、ジエチレングリコール、トリエチレングリコール、プロピレングリコール、ジプロピレングリコール、トリプロピレングリコール、１，３‐プロパンジオール、１，４−ブタンジオール、１，３−ブタンジオール、１，２−ブタンジオール、２，３−ブタンジオール、１，５−ペンタンジオール、１，２−ペンタンジオール、１，６−ヘキサンジオール、２−メチルー２，４−ペンタンジオール、平均分子量３００以下のポリプロピレングリコール、を例示することができる。
【００２２】
また、水溶性グリコールアルキルエーテル類の好ましい例としては、エーテル置換基の炭素数が１〜４のエチレングリコールモノアルキルエーテル類、具体的には２−メトキシエタノール、２−エトキシエタノール、２−プロポキシエタノール、２−イソプロポキシエタノール、２−（２−メチル−２−プロポキシ）エタノール、また、エーテル置換基の炭素数が１〜４のジエチレングリコールモノアルキルエーテル類、具体的には２−（２−メトキシエトキシ）エタノール、２−（２−エトキシエトキシ）エタノール、２−（２−プロポキシエトキシ）エタノール、２−（２−イソプロポキシエトキシ）エタノール、２−（２−ブトキシエトキシ）エタノール、２−（２−イソブトキシエトキシ）エタノール、２−（２−（（１−メチルプロポキシ）エトキシ）エタノール、２−（２−（２−メチル−２−プロポキシ）エトキシ）エタノール、また、エーテル置換基の炭素数が１〜４のトリエチレングリコールモノアルキルエーテル類、具体的には２−（２−（２−メトキシエトキシ）エトキシ）エタノール、２−（２−（２−エトキシエトキシ）エトキシ）エタノール、２−（２−（２−プロポキシエトキシ）エトキシ）エタノール、２−（２−（２−イソプロポキシエトキシ）エトキシ）エタノール、２−（２−（２−ブトキシエトキシ）エトキシ）エタノール、２−（２−（２−イソブトキシエトキシ）エトキシ）エタノール、２−（２−（２−（（１−メチルプロポキシ）エトキシ）エトキシ）エタノール、２−（２−（２−（２−メチル−２−プロポキシ）エトキシ）エトキシ）エタノール、また、エーテル置換基の炭素数の和が２〜４のエチレングリコールジアルキルエーテル類、具体的には１，２−ジメトキシエタン、１，２−ジエトキシエタン、また、エーテル置換基の炭素数の和が２〜４のジエチレングリコールジアルキルエーテル類、具体的には１‐メトキシ‐２−（２‐メトキシエトキシ）エタン、１‐エトキシ‐２−（２‐メトキシエトキシ）エタンを例示することができる。また、エーテル置換基の炭素数の和が２〜４のトリエチレングリコールジアルキルエーテル類またはテトラエチレングリコールジアルキルエーテル類、具体的には１，２−ビス（２−メトキシエトキシ）エタン、１，２−ビス（２−エトキシエトキシ）エタン、ビス(２−（２−メトキシエトキシ)エチルエーテルを例示することができる。また、エーテル置換基の炭素数が１〜２のプロピレングリコールモノアルキルエーテル類またはジプロピレングリコールモノアルキルエーテル類またはトリプロピレングリコールモノアルキルエーテル類、具体的にはプロピレングリコールモノメチルエーテル、プロピレングリコールモノエチルエーテル、ジプロピレングリコールモノメチルエーテル、トリプロピレングリコールモノメチルエーテルを例示することができる。
【００２３】
また、水溶性グリコールアルキルエーテルエステル類の好ましい例としては、エーテル置換基およびアシル置換基の炭素数の和が３〜４のジエチレングリコールモノアルキルエーテルエステル類、具体的には１‐アセトキシ‐２−（２‐メトキシエトキシ）エタンを例示することができる。
【００２４】
また、水溶性ジエチレングリコールジエステル類の好ましい例としては、１‐アセトキシ‐２−（２‐アセトキシエトキシ）エタンを例示することができる。
【００２５】
また、水溶性アルキル脂肪酸アミド類の好ましい例としては、炭素数の和が７以下のＮ−アルキル脂肪酸アミド類またはＮ，Ｎ−ジアルキル脂肪酸アミド類、具体的にはＮ，Ｎ−ジエチルアセトアミド、Ｎ−プロピルアセトアミド、Ｎ−イソプロピルアセトアミド、Ｎ−ブチルアセトアミド、Ｎ，Ｎ−ジエチルプロパンアミド、Ｎ−メチルブタンアミド、Ｎ，Ｎ−ジメチルブタンアミドを例示することができる。
そして、前記に例示した物質のうちのいずれか１つの物質又は１つ以上の物質を混合して前記感温相分離性を示さない水溶性液体とすることができる。
【００２６】
本発明の第３の感温相分離液体は、感温相分離液体と、非水溶性アルコール類、非水溶性グリコール類、非水溶性グリコールアルキルエーテル類、非水溶性グリコールアルキルエーテルエステル類及び非水溶性アルキル脂肪酸アミド類のうちの１つ以上から選ばれた体積比１：１で水と混和しない非水溶性液体、とを混合した前記感温相分離液体の下限臨界溶液温度より低い下限臨界溶液温度を示す感温相分離液体である。
【００２７】
前記第３の感温相分離液体は、既知の感温相分離液体と、前記体積比１：１で水と混和しない非水溶性液体、とを混合することにより、既知の感温相分離液体の下限臨界溶液温度より低い任意の下限臨界溶液温度を示す感温相分離液体を得ることができる。
【００２８】
既知の感温相分離液体と前記体積比１：１で水と混和しない非水溶性液体の混合の方法は、第１の感温相分離液体を生成するときの方法と同様の方法により行うことができる。
【００２９】
前記混合により下限臨界溶液温度（ＬＣＳＴ）が低くなることは、以下の理由であると推察される。一般に感温相分離液体においてはＬＣＳＴが高いものは親水性すなわち高溶解性で低いものは疎水性すなわち低溶解性である。体積比１：１で水と混和しない非水溶性液体は感温相分離液体よりも疎水性すなわち低溶解性である。感温相分離液体に体積比１：１で水と混和しない非水溶性液体を混合すると感温相分離液体はより疎水性すなわち低溶解性となりＬＣＳＴが低くなるものと推察される。
【００３０】
前記第３の感温相分離液体の原料となる前記感温相分離液体は、前記第１の感温相分離液体、前記第２の感温相分離液体及び前記前記第１の感温相分離液体の原料として示した感温相分離液体のいずれかである。
【００３１】
前記に記載の非水溶性アルコール類、非水溶性グリコール類、非水溶性グリコールアルキルエーテル類、非水溶性グリコールアルキルエーテルエステル類及び非水溶性アルキル脂肪酸アミド類のうちの１つ以上から選ばれた体積比１：１で水と混和しない非水溶性液体は、前記に記載の既知の感温相分離液体と室温で任意の割合で混和し均一な溶液となる物質であれば限定されない。
【００３２】
非水溶性アルコール類の好ましい例としては、炭素数が４の一級または二級アルコール類、具体的には１−ブタノール、イソブタノール、２−ブタノール、および炭素数が５以上のアルコール類、具体的には１−ペンタノール、イソペンタノール、１，１−ジメチル−１−プロパノール、１−ヘキサノール、１−ヘプタノール、１−オクタノールが例示される。
【００３３】
また、非水溶性グリコール類、の好ましい例としては、具体的には１，８−オクタンジオール、２−エチル−１，３−ヘキサンジオール、平均分子量７００以上のポリプロピレングリコールを例示することができる。
【００３４】
また、非水溶性グリコールアルキルエーテル類、の好ましい例としては、エーテル置換基の炭素数が６以上のエチレングリコールモノアルキルエーテル類またはエチレングリコールモノアラルキルエーテル類またはエチレングリコールモノアリールエーテル類、具体的には２−ヘキシルオキシエタノール、２−フェノキシエタノール、２−ベンジルオキシエタノール、２−（２−エチルヘキシルオキシ）エタノール、また、エーテル置換基の炭素数が６以上のジエチレングリコールモノアルキルエーテル類、またはエチレングリコールモノアリールエーテル類、具体的には２−（２−ヘキシルオキシエトキシ）エタノール、２−（２−フェノキシエトキシ）エタノール、２−（（２−エチルヘキシルオキシ）エトキシ）エタノールを例示することができる。また、エーテル置換基の炭素数の和が５以上のジエチレングリコールジアルキルエーテル類、具体的には１‐ブトキシ‐２−（２‐メトキシエトキシ）エタン、１‐ブトキシ‐２−（２‐ブトキシエトキシ）エタンを例示することができる。また、エーテル置換基の炭素数が３以上のプロピレングリコールモノアルキルエーテル類またはジプロピレングリコールモノアルキルエーテル類またはトリプロピレングリコールモノアルキルエーテル類、具体的にはプロピレングリコールモノブチルエーテル、ジプロピレングリコールモノプロピルエーテル、トリプロピレングリコールモノブチルエーテル、を例示することができる。また、プロピレングリコールジアルキルエーテル類またはプロピレングリコールアルキルエーテルエステル類またはジプロピレングリコールジアルキルエーテル類またはトリプロピレングリコールジアルキルエーテル類、具体的にはプロピレングリコールジメチルエーテル、プロピレングリコールモノメチルエーテルアセテート、ジプロピレングリコールジメチルエーテル、トリプロピレングリコールジメチルエーテル
【００３５】
また、非水溶性グリコールアルキルエーテルエステル類の好ましい例としては、エーテル置換基およびアシル置換基の炭素数の和が６以上のジエチレングリコールモノアルキルエーテルエステル類、具体的には１‐アセトキシ‐２−（２‐ブトキシエトキシ）エタンを例示することができる。
【００３６】
また、非水溶性アルキル脂肪酸アミド類の好ましい例としては、炭素数の和が６以上のＮ−アルキル脂肪酸アミドまたはＮ，Ｎ−ジアルキル脂肪酸アミド、具体的にはＮ，Ｎ−ジブチルアセトアミド、Ｎ，Ｎ−ジプロピルプロパンアミド、Ｎ，Ｎ−ジイソプロピルプロパンアミド、Ｎ，Ｎ−ジプロピルブタンアミド、Ｎ，Ｎ−ジイソプロピルブタンアミド、Ｎ−エチルブタンアミド、Ｎ−エチルヘキサンアミド、Ｎ，Ｎ−ジエチルヘキサンアミドを例示することができる。
【００３７】
そして、前記に例示した物質のうちのいずれか１つの物質又は１つ以上の物質を混合して体積比１：１で水と混和しない非水溶性液体とすることができる。
【００３８】
本発明の第４の感温相分離液体は、感温相分離液体と、感温相分離性を示さない水溶性固体物質の水溶液、とを混合した前記感温相分離液体の下限臨界溶液温度より低い下限臨界溶液温度を示す感温相分離液体である。
【００３９】
前記第４の感温相分離液体は、既知の感温相分離液体と、感温相分離性を示さない無機ハロゲン化合物及び／又は糖類からなる水溶性固体物質の水溶液、とを混合することにより、既知の感温相分離液体の下限臨界溶液温度より低い下限臨界溶液温度を示す感温相分離液体を得ることができる。
【００４０】
既知の感温相分離液体と感温相分離性を示さない水溶性固体物質の水溶液の混合の方法は、第１の感温相分離液体を生成するときの方法と同様の方法により行うことができる。
【００４１】
前記混合により下限臨界溶液温度（ＬＣＳＴ）が低くなることは、以下の理由であると推察される。一般に水溶液に水溶性固体を溶解すると塩析効果により溶質の溶解性は小さくなる。感温相分離液体が溶質である水溶液の場合、水溶性固体を溶解すると感温相分離液体は低溶解性となる。感温相分離液体に感温相分離性を示さない水溶性固体物質の水溶液を混合することは、感温相分離液体の水溶液に水溶性固体物質を溶解することと同義であり、感温相分離液体は低溶解性となりＬＣＳＴが低くなるもとと推察される。
【００４２】
前記第４の感温相分離液体の原料となる前記感温相分離液体は、前記第１の感温相分離液体、前記第２の感温相分離液体、前記第３の感温相分離液体及び前記前記第１の感温相分離液体の原料として示した感温相分離液体のいずれかである。
【００４３】
前記に記載の水溶液として感温相分離性を示さない水溶性固体物質は、１％以上の濃度で水に溶解し、なおかつその濃度の水溶液と前記に記載の既知の感温相分離液体とが体積比１：１で水と混和し均一な水溶液となる物質であれば限定されないが、無機ハロゲン化合物の好ましい例として、フッ化リチウム、フッ化ナトリウム、フッ化カリウム、フッ化アンモニウム、塩化リチウム、塩化ナトリウム、塩化カリウム、塩化アンモニウム、塩化マグネシウム、塩化カルシウム、臭化リチウム、臭化ナトリウム、臭化カリウム、臭化アンモニウム、臭化マグネシウム、臭化カルシウム、また、糖類の好ましい例として、グルコース、ガラクトース、フルクトース、マルトース、スクロース、トレハロースを例示することができる。
そして、前記に例示した物質のうちのいずれか１つの物質又は１つ以上の物質により感温相分離性を示さない水溶性固体物質の水溶液とすることができる。
【実施例】
【００４４】
［実施例１］
５０％水溶液の下限臨界溶液温度が３９℃の２，５，８，１１‐テトラオキサペンタデカン５ｍｌ、５０％水溶液の下限臨界溶液温度が４７℃の２‐［２‐（２‐メトキシエトキシ）エトキシ］プロパン５ｍｌ、および水１０ｍｌを３０ｍｌのスクリュー管に入れ、２０℃において手で振り混ぜ混合した。この混合液は流動がおさまった後も均一な外観を維持した。この混合液を加熱しながら外観の変化を観察した。混合溶液が均一な外観を示さなくなる下限臨界溶液温度は、４３℃であった。
【００４５】
［実施例２］
５０％水溶液の下限臨界溶液温度が３９℃の２，５，８，１１‐テトラオキサペンタデカン３ｍｌ、５０％水溶液の下限臨界溶液温度が４７℃の２‐［２‐（２‐メトキシエトキシ）エトキシ］プロパン６ｍｌ、および水９ｍｌを３０ｍｌのスクリュー管に入れ、２０℃において手で振り混ぜ混合した。この混合液は流動がおさまった後も均一な外観を維持した。この混合液を加熱しながら外観の変化を観察した。混合溶液が均一な外観を示さなくなる下限臨界溶液温度は、４５℃であった。
【００４６】
［実施例３］
５０％水溶液の下限臨界溶液温度が５０℃の平均分子量４００のポリプロピレングリコール５ｍｌ、５０％水溶液の下限臨界溶液温度が３２℃の平均分子量６００のポリプロピレングリコール５ｍｌ、および水１０ｍｌを３０ｍｌのスクリュー管に入れ、２０℃において手で振り混ぜ混合した。この混合液は流動がおさまった後も均一な外観を維持した。この混合液を加熱しながら外観の変化を観察した。混合溶液が均一な外観を示さなくなる下限臨界溶液温度は、４０℃であった。
【００４７】
［実施例４］
５０％水溶液の下限臨界溶液温度が５０℃の平均分子量４００のポリプロピレングリコール７ｍｌ、５０％水溶液の下限臨界溶液温度が３２℃の平均分子量６００のポリプロピレングリコール３ｍｌ、および水１０ｍｌを３０ｍｌのスクリュー管に入れ、２０℃において手で振り混ぜ混合した。この混合液は流動がおさまった後も均一な外観を維持した。この混合液を加熱しながら外観の変化を観察した。混合溶液が均一な外観を示さなくなる下限臨界溶液温度は、３５℃であった。
【００４８】
実施例１〜４に示すように、２種類以上の既知の感温相分離液体同士を混合することにより、その混合比に応じて、既知の感温相分離液体のそれぞれの下限臨界溶液温度のうちの高い方と低い方の間の温度の任意の下限臨界溶液温度を示す感温相分離液体を得ることができた。またこのとき感温相分離液体と水との比率は同じにしたままであった。
【００４９】
［実施例５］
５０％水溶液の下限臨界溶液温度が３９℃の２，５，８，１１‐テトラオキサペンタデカン６ｍｌ、水溶性で５０％水溶液が下限臨界溶液温度を有しない１‐メトキシ‐２−（２‐メトキシエトキシ）エタン３ｍｌおよび水９ｍｌを３０ｍｌのスクリュー管に入れ、２０℃において手で振り混ぜ混合した。この混合液は流動がおさまった後も均一な外観を維持した。この混合液を加熱しながら外観の変化を観察した。混合溶液が均一な外観を示さなくなる下限臨界溶液温度は、４６℃であった。
【００５０】
［実施例６］
５０％水溶液の下限臨界溶液温度が３９℃の２，５，８，１１‐テトラオキサペンタデカン５ｍｌ、水溶性で５０％水溶液が下限臨界溶液温度を有しない１‐メトキシ‐２−（２‐メトキシエトキシ）エタン５ｍｌ、および水１０ｍｌを３０ｍｌのスクリュー管に入れ、２０℃において手で振り混ぜ混合した。この混合液は流動がおさまった後も均一な外観を維持した。この混合液を加熱しながら外観の変化を観察した。混合溶液が均一な外観を示さなくなる下限臨界溶液温度は、５５℃であった。
【００５１】
実施例５、６に示すように、既知の感温相分離液体と、感温相分離性を示さない水溶性液体、とを混合することにより、その混合比に応じて、既知の感温相分離液体の下限臨界溶液温度より高い下限臨界溶液温度を示す感温相分離液体を得ることができた。またこのとき感温相分離液体と水との比率は同じにしたままであった。
【００５２】
［実施例７］
５０％水溶液の下限臨界溶液温度が４７℃の２‐［２‐（２‐メトキシエトキシ）エトキシ］プロパン７．５ｍｌ、体積比１：１で水と混和しない非水溶性の１‐ブトキシ‐２−（２‐メトキシエトキシ）エタン２．５ｍｌ、および水１０ｍｌを３０ｍｌのスクリュー管に入れ、２０℃において手で振り混ぜ混合した。この混合液は流動がおさまった後も均一な外観を維持した。この混合液を加熱しながら外観の変化を観察した。混合溶液が均一な外観を示さなくなる下限臨界溶液温度は、２５℃であった。
【００５３】
［実施例８］
５０％水溶液の下限臨界溶液温度が４７℃の２‐［２‐（２‐メトキシエトキシ）エトキシ］プロパン８ｍｌ、体積比１：１で水と混和しない非水溶性の１‐ブトキシ‐２−（２‐メトキシエトキシ）エタン２ｍｌ、および水１０ｍｌを３０ｍｌのスクリュー管に入れ、２０℃において手で振り混ぜ混合した。この混合液は流動がおさまった後も均一な外観を維持した。この混合液を加熱しながら外観の変化を観察した。混合溶液が均一な外観を示さなくなる下限臨界溶液温度は、２９℃であった。
【００５４】
実施例７、８に示すように、既知の感温相分離液体と、体積比１：１で水と混和しない非水溶性液体、とを混合することにより、その混合比に応じて、既知の感温相分離液体の下限臨界溶液温度より低い下限臨界溶液温度を示す感温相分離液体を得ることができた。またこのとき感温相分離液体と水との比率は同じにしたままであった。
【００５５】
［実施例９］
５０％水溶液の下限臨界溶液温度が４７℃の２‐［２‐（２‐メトキシエトキシ）エトキシ］プロパン１０ｍｌ、塩化ナトリウム０．３ｇを水１０ｍｌに溶解した溶液を３０ｍｌのスクリュー管に入れ、２０℃において手で振り混ぜ混合した。この混合液には沈澱は見られずまた、流動がおさまった後も均一な外観を維持した。この混合液を加熱しながら外観の変化を観察した。混合溶液が均一な外観を示さなくなる下限臨界溶液温度は、２９℃であった。
【００５６】
［実施例１０］
５０％水溶液の下限臨界溶液温度が４７℃の２‐［２‐（２‐メトキシエトキシ）エトキシ］プロパン１０ｍｌ、塩化ナトリウム０．２ｇを水１０ｍｌに溶解した溶液を３０ｍｌのスクリュー管に入れ、２０℃において手で振り混ぜ混合した。この混合液には沈澱は見られずまた、流動がおさまった後も均一な外観を維持した。この混合液を加熱しながら外観の変化を観察した。混合溶液が均一な外観を示さなくなる下限臨界溶液温度は、３３℃であった。
【００５７】
実施例９、１０に示すように、既知の感温相分離液体と、感温相分離性を示さない水溶性固体物質の水溶液、とを混合することにより、感温相分離性を示さない水溶性固体物質の濃度に応じて、既知の感温相分離液体の下限臨界溶液温度より低い下限臨界溶液温度を示す感温相分離液体を得ることができた。またこのとき感温相分離液体と水との比率は同じにしたままであった。
【産業上の利用可能性】
【００５８】
本発明により任意に下限臨界溶液温度を調節できる感温相分離液体は、低粘度高浸透圧の正浸透水処理法ドロー溶液、低粘度感温相分離抽出、容易に水分を分離できる低粘度吸収液などに用いられる。